(57)【要約】 【課題】  各対向部の上下方向により大きな相対変位を許容し、施工性および止水性を向上する。【解決手段】  各対向部４３ａ，４３ｂに縁材４４ａ，４４ｂを固定し、各対向部４３ａ，４３ｂ間にわたって各縁材４４ａ，４４ｂおよび空隙４１を上方から覆うようにしてカバー体４５を設け、カバー体４５の空隙４１に臨む裏面４７にブラケット４８を固定し、一端部４９が前記ブラケット４８に回動自在に係止されるとともに、他端部５０が他方の縁材４４ｂに回動自在に係止され、前記一端部４９および他端部５０に連なる巻回部５１がカバー体４５と他方の縁材４４ｂとの間に変位自在な捩りばね５２によってカバー体４５をブラケット４８とともに反時計まわりＡにばね付勢する。【選択図】      図１
2006097422.tif 000002
【特許請求の範囲】
【請求項１】
空隙をあけて隣接する２つの躯体の相互に対向する各対向部にそれぞれ固定される縁材と、
各対向部間にわたって各縁材および空隙を上方から覆うようにして設けられるカバー体と、
一方の縁材に支持される支持部を有し、水平面においてカバー体の幅方向に垂直な長手方向に間隔をあけて配置され、カバー体の空隙に臨む裏面に固定されるブラケットと、
一端部が前記ブラケットに回動自在に係止されるとともに、他端部が他方の縁材に回動自在に係止され、前記一端部および他端部に連なる巻回部がカバー体と他方の縁材との間に変位自在に装着されるばね部材とを含むことを特徴とする伸縮継手装置。
【請求項２】
各縁材間には、可撓性を有する止水シートが設けられ、一方の縁材と一方の対向部との間および他方の縁材と他方の対向部との間には、シール材が設けられることを特徴とする請求項１記載の伸縮継手装置。
【請求項３】
前記一方の縁材および他方の縁材のうち少なくとも一方は、他方の対向部の鉛直な対向壁面に固定される第１縁材と、他方の対向部の水平な上面に設置され、前記第１縁材に連結される第２縁材とによって構成され、
第１縁材には、前記ばね部材の他端部が回動自在に係止されることを特徴とする請求項１または２記載の伸縮継手装置。
【発明の詳細な説明】
【技術分野】
【０００１】
本発明は、隣接する２つの建物の各躯体間に目地などとして存在する空隙を、急激な地震などによる各躯体の相対変位を許容しながら塞いだ状態に維持して、空隙内への雨水などの浸入を防止する伸縮継手装置に関する。
【背景技術】
【０００２】
図９は、従来の技術の伸縮継手装置１を示す鉛直断面図であり、この従来の技術は特許文献１に記載されている。伸縮継手装置１は、隣接する２つの建物の各躯体２ａ，２ｂの空隙３を介して対向する各対向部４ａ，４ｂにそれぞれ設けられる縁材５ａ，５ｂ、各縁材５ａ，５ｂ上で各対向部４ａ，４ｂ間にわたって設けられるカバー体６、カバー体６の前記空隙３に臨む裏面７に固定されるブラケット８、カバー体６の幅方向両端部にそれぞれ装着されるパッキン９ａ，９ｂ、ブラケット８をカバー体６とともに各幅方向一端部が一方の対向部４ａの上面１０に当接する矢符Ａ方向（反時計まわり）にばね付勢する捩りばね１１、ブラケット８の幅方向他端部に挿入されて保持され、前記捩りばね１１が装着されるばね装着ピン１２、および各縁材５ａ，５ｂに幅方向両端部が嵌着される止水シート１３を有する。
【０００３】
一方の縁材５ａには、一方の対向部４ａの略水平な上面１０および略鉛直な対向壁面１４ａのうち、上面１０にアンカー体１５ａによって固定される平坦状の基部１６ａと、基部１６ａの幅方向他端部に連なって一体的に形成され、前記止水シート１３の幅方向一端部が嵌着される嵌合部１７ａとが形成される。
【０００４】
他方の縁材５ｂには、他方の対向部４ｂの略鉛直な対向壁面１４ｂに、前記一方の対向部４ｂの上面１０よりも上方でアンカー体１５ｂによって固定される断面が略Ｌ字状の基部１６ｂと、基部１６ｂの下端部に連なって一体的に形成され、前記止水シート１３の幅方向他端部が嵌着される嵌合部１７ｂとが形成される。
【０００５】
前記捩りばね１１は、ばね装着ピン１２が内挿され、他方の縁材５ｂによって支持される一対の巻回部１８と、各巻回部１８に連なり、ブラケット８に係止される略Ｕ字状の一端部１９と、各巻回部１８から延び、他方の縁材５ｂに係止される一対の他端部２０とを有する。
【０００６】
前記ブラケット８は、カバー体６がビス２１によって固定され、前記捩りばね１１の一端部１９が回動自在に嵌合するばね受け凹部２２が形成される大略的に平坦状の幅方向中間部２３と、幅方向中間部２３に屈曲して連なる略Ｖ字状の幅方向一端部２４と、幅方向中間部２３に連なり、他方の縁材５ｂ上に支持されるとともに前記ばね装着ピン１２を保持する断面が略Ｃ字状の幅方向他端部２５とを有する。
【０００７】
このようなブラケット８は、図９の紙面に垂直な方向に間隔をあけて設けられ、長尺のカバー体６が装着される。
【０００８】
前記カバー体６は、ブラケットの幅方向中間部２３に前記ビス２１によって固定される平坦な基部２７と、基部２７の幅方向一端部から一方の対向部４ａ側に直角に屈曲して連なる一方の屈曲部２８ａと、基部２７の幅方向他端部から上方（図９の上方）に直角に屈曲して連なる他方の屈曲部２８ｂとを有する。
【０００９】
各屈曲部２８ａ，２８ｂには、前述のようにパッキン９ａ，９ｂがそれぞれ装着され、一方のパッキン９ａは一方の対向部４ａの上面１０に当接し、他方のパッキン９ｂは他方の対向部４ｂの対向壁面１４に当接している。
【００１０】
図１０は、伸縮継手装置１の動作を示す鉛直断面図であり、図１０（１）は各対向部４ａ，４ｂが相互に近接する方向に相対変位したときの状態を示し、図１０（２）は一方の対向部４ａが他方の対向部４ｂに対して下方に相対変位したときの状態を示し、図１０（３）は一方の対向部４ａが他方の対向部４ｂに対して上方に相対変位したときの状態を示す。なお、同図において、図解を容易にするため、止水シート１３は省略して示されている。
【００１１】
急激な地震などの発生によって、各対向部４ａ，４ｂが図１０（１）に示されるように、相互に近接する方向に相対的に変位すると、カバー体６は水平を維持したままで各縁材５ａ，５ｂが近接する。このとき、一方のパッキン９ａは、上面１０上を摺動し、一方の縁材５ａから離反する。他方のパッキン９ｂは、他方の対向部４ｂの対向壁面１４ｂに当接した状態に保たれ、上下方向にはほとんど変位しない。
【００１２】
次に、図１０（２）に示されるように、一方の対向部４ａが他方の対向部４ｂに対して下方に相対変位を生じると、他方の縁材５ｂは一方の縁材５ａに対して上方に変位し、この変位によって、カバー体６は、ブラケット８とともにばね装着ピン１２の軸線まわりに矢符Ａ方向（反時計まわり）に角変位し、一方のパッキン９ａはその一部が一方の縁材５ａに乗り上げた状態で上面１０に当接する。他方のパッキン９ｂは、他方の対向部４ｂの対向壁面１４から離反し、カバー体６によるシール性は絶たれ、止水シート１３だけによって空隙３内への雨水などの浸入が防がれている。
【００１３】
この状態では、ブラケット８の幅方向一端部２４は一方の縁材５ａから上方へ離反し、捩りばね１１は他方の縁材５ｂ上に支持され、カバー体６には、一方の対向部４ａの上面１０から、捩りばね１１のばね力に対する反力が作用している。
【００１４】
また、図１０（３）に示されるように、一方の対向部４ａが他方の対向部４ｂに対して上方に相対変位を生じると、他方の縁材５ｂは一方の縁材５ａに対して下方へ変位し、この変位によって、カバー体６は、ブラケット８とともにばね装着ピン１２の軸線まわりに、前記矢符Ａ方向とは逆方向Ｂ（時計まわり）に角変位し、他方のパッキン９ｂは他方の対向部４ｂの対向壁面１４ｂに押し付けられた状態となり、一方のパッキン９ａは一方の対向部４ａの上面１０から離反し、カバー体６によるシール性は絶たれ、止水シート１３だけによって空隙３内への雨水など浸入が防がれている。
【００１５】
この状態では、ブラケット８の幅方向一端部２４は一方の縁材５ａ上に支持されるが、ブラケット８の幅方向他端部２５は他方の縁材５ｂから捩りばね１１のばね力に抗して上方へ離反し、捩りばね１１の矢符Ａ方向へのばね力は図１０（１）の水平方向の近接変位に比べてさらに増大し、カバー体６には他方のパッキン９ｂを介して、他方の対向部４ｂの対向壁面１４ｂからの大きな反力が作用している。
【００１６】
【特許文献１】特開平９−１１１８９３号公報
【発明の開示】
【発明が解決しようとする課題】
【００１７】
このような従来の伸縮継手装置１では、捩りばね１１は、ばね装着ピン１２によってブラケット８に拘束されているため、図１０（３）に示されるように、一方の対向部４ａが他方の対向部４ｂに対して上方となるような上下方向の相対変位に対して、ブラケット８には捩りばね１１によって前記上下方向の変位量に応じて比例的に変化する大きなばね力が作用し、その結果、カバー体６には他方のパッキン９ｂを介して他方の対向部４ｂの対向壁面１４ｂから大きな反力が作用する。
【００１８】
したがって、各対向部４ａ，４ｂ間の前記一方の対向部４ａが他方の対向部４ｂに対して上方となる方向への上下方向の変位が大きいほど、また急激であるほど、ブラケット８にビス２１によって幅方向中間部が固定されたカバー体６には他方の対向部４ｂの対向壁面１４ｂから大きく、しかも急激な反力が作用し、カバー体６が変形または破損してしまうという問題がある。
【００１９】
また、各縁材５ａ，５ｂが各対向部４ａ，４ｂに固定された後、カバー体６、ブラケット８、各パッキン９ａ，９ｂおよび捩りばね１１の取り付け作業を行うに際しては、ブラケット８にばね装着ピン１２を挿通した捩りばね１１を装着し、そのブラケット８のばね受け凹部２２に捩りばね１１の一端部１９を嵌合させ、捩りばね１１の他端部２０を他方の縁材５ｂに掛け止め、各ブラケット８にカバー体６を乗載して、ビス２１によってカバー体６を各ブラケット８に固定する、という手順で作業を行わなければならない。したがって、このような伸縮継手装置１では、取り付け作業が煩雑であり、施工性が悪いという問題がある。
【００２０】
さらに、前記従来の技術では、各対向部４ａ，４ｂが上下方向に変位して、カバー体６が各対向部４ａ，４ｂのうちいずれか一方から離反した状態（すなわち、図１０（２）、図１０（３）の状態）では、外部から空隙３内への水の浸入を遮断するのは止水シート１３だけであるため、各対向部４ａ，４ｂと各縁材５ａ，５ｂとの間の僅かな隙間から水が空隙３内へ浸入してしまい、止水性が低いという問題がある。
【００２１】
本発明の目的は、各対向部の上下方向により大きな相対変位を許容し、施工性を向上することができる伸縮継手装置を提供することである。
本発明の他の目的は、止水性の向上された伸縮継手装置を提供することである。
【課題を解決するための手段】
【００２２】
本発明は、空隙をあけて隣接する２つの躯体の相互に対向する各対向部にそれぞれ固定される縁材と、
各対向部間にわたって各縁材および空隙を上方から覆うようにして設けられるカバー体と、
一方の縁材に支持される支持部を有し、水平面においてカバー体の幅方向に垂直な長手方向に間隔をあけて配置され、カバー体の空隙に臨む裏面に固定されるブラケットと、
一端部が前記ブラケットに回動自在に係止されるとともに、他端部が他方の縁材に回動自在に係止され、前記一端部および他端部に連なる巻回部がカバー体と他方の縁材との間に変位自在に装着されるばね部材とを含むことを特徴とする伸縮継手装置である。
【００２３】
本発明に従えば、空隙をあけて隣接する２つの躯体の相互に対向する各対向部には縁材がそれぞれ固定される、また、ブラケットには、各対向部間にわたって設けられ、各縁材および空隙を上方から覆うようにして、カバー体が装着される。
【００２４】
前記ブラケットは、各対向部が設置当初の間隔を維持した状態おいて、一方の縁材に支持される支持部を有し、水平面においてカバー体の幅方向に垂直な長手方向に間隔をあけて配置され、カバー体の空隙に臨む裏面に固定される。このブラケットには、ばね部材の一端部が回動自在に係止される。ばね部材の他端部は、他方の縁材に回動自在に係止される。ばね部材は、前記一端部および他端部に連なる巻回部を有し、この巻回部はカバー体と他方の縁材との間で変位自在とされ、巻回部の変位を拘束しないように構成される。
【００２５】
したがって、一方の対向部が他方の対向部に対して急激な地震などによって上方に相対変位を生じると、カバー体はブラケットとともに、幅方向一端部が幅方向他端部に対して上方、すなわち鉛直断面において時計まわりに角変位する。このとき、ばね部材の巻回部はブラケットおよび他方の縁材のいずれにも拘束されていないので、その巻回部はブラケットと他方の縁材との間でカバー体およびブラケットの前記角変位に追従して移動することができ、この巻回部の移動によってカバー体およびブラケットの他方の縁材に対する上方への変位量が増大し、各縁材間の上下方向の相対変位に対するカバー体およびブラケットの角変位量を、前記巻回部が他方の縁材に拘束された場合に比べて少なくすることができる。
【００２６】
これによって、ブラケットにばね部材から作用するばね力を緩和することができ、カバー体が他方の対向部から受ける反力を減少させて、各対向部の上下方向の相対変位が大きくかつ急激であっても、カバー体の変形または破損を防ぐことができる。また、ばね部材の巻回部が拘束される、一端部をブラケットに係止し、他端部を他方の縁材に係止すればよいので、ばね部材の他方の縁材への取付け作業を容易に行うことができ、施工性を向上することができる。
【００２７】
さらに、ばね部材は、その一端部がブラケットに回動自在に係止され、他端部が他方の縁材に回動自在に係止されるので、巻回部は一端部および他端部の回動阻止による捩り反力を受けず、回動部をブラケットの変位だけによってばね力を発生させることができる。これによってもまた、ブラケットにばね部材から作用するばね力を緩和することができ、カバー体が他方の対向部から受ける反力を減少させて、各対向部の上下方向の相対変位が大きくかつ急激であっても、カバー体の変形または破損を防ぐことができる。
【００２８】
また、本発明は、各縁材間には、可撓性を有する止水シートが設けられ、一方の縁材と一方の対向部との間および他方の縁材と他方の対向部との間には、シール材が設けられることを特徴とする。
【００２９】
本発明に従えば、各縁材間には、可撓性を有する止水シートが設けられるので、各対向部が地震などによって上下方向に相対変位を生じ、カバー体の幅方向一端部が一方の対向部から離間し、あるいは幅方向他端部が他方の対向部から離間しても、各対向部間の前記上下方向の相対変位に応じて止水シートがその可撓性によって自在に変形して許容し、各縁材間にわたって張架された状態を維持することができる。これによって、各対向部間の空隙への雨水および散水などによるカバー体と一方の縁材との間およびカバー体と他方の縁材との間を介する空隙内への水の浸入が防がれる。また、一方の縁材と一方の対向部との間および他方の縁材と他方の対向部との間にはシール材が設けられるので、カバー体がブラケットとともに各縁材から離間しても、一方の縁材と一方の対向部との間および他方の縁材と他方の対向部との間の僅かな隙間から空隙内への水が浸入することが防がれ、前記止水シートとともに各対向部間で確実に空隙内への水の浸入を阻止し、止水性が向上される。
【００３０】
さらに、本発明は、前記一方の縁材および他方の縁材のうち少なくとも一方は、他方の対向部の鉛直な対向壁面に固定される第１縁材と、他方の対向部の水平な上面に設置され、前記第１縁材に連結される第２縁材とによって構成され、
第１縁材には、前記ばね部材の他端部が回動自在に係止されることを特徴とする。
【００３１】
本発明に従えば、他方の縁材を、他方の対向部の鉛直な対向壁面に固定される第１縁材と、他方の対向部の水平な上面に設置され、前記第１縁材に連結される第２縁材とによって構成し、第１縁材に前記ばね部材の他端部が回動自在に係止される。このように他方の縁材が構成されることによって、他方の対向部が前記他方の縁材の取付け位置よりも上方に立ち上がる取付け区間では、前記第２縁材を用いずに、第１縁材だけを対向壁面に固定して、伸縮継手装置を実現することができる。これによって、他方の対向部の鉛直な対向壁面が他方の縁材の取付け位置を越えて上方に立ち上がる場合、および前記取付け位置から水平に上面が形成される場合のいずれであっても、前記第１縁材だけを用いて、あるいは第１および第２縁材の双方を用いて他方の縁材を実現することができ、他方の対向部の形態にかかわらず、他方の縁材の汎用性を向上し、伸縮継手装置の設置上の自由度を向上することができる。
【発明の効果】
【００３２】
本発明によれば、カバー体が装着されるブラケットを巻回部が変位自在なばね部材によって他方の縁材に連結するので、各対向部の上下方向に変位してカバー体が各対向部に当接しても、カバー体に各対向部から作用する反力を小さくすることができ、この反力によるカバー体の変形または破損を防ぐことができる。また、ばね部材の巻回部が拘束される、一端部をブラケットに係止し、他端部を他方の縁材に係止すればよいので、ばね部材の他方の縁材への取付け作業を容易に行うことができ、施工性を向上することができる。
【００３３】
さらに、ばね部材は、その一端部がブラケットに回動自在に係止され、他端部が他方の縁材に回動自在に係止されるので、ブラケットへのばね力を緩和して、カバー体が各対向部から過大な反力を受けないようにして、各対向部の上下方向の相対変位が大きくかつ急激であっても、カバー体の大きな変位は許容し、かつそのカバー体の変形または破損を防ぐことができる。
【００３４】
また、本発明によれば、各縁材間に止水シートが設けられ、かつ各対向部と各縁材との間にシール材が設けられるので、高い水密性を実現して、空隙内への水の浸入を防ぎ、止水性を向上することができる。
【００３５】
さらに、本発明によれば、他方の対向部の形態に応じて第１縁材だけを用いる場合と、第１および第２縁材の双方を用いる場合とを使い分けることが可能となり、伸縮継手装置の設置上の自由度を向上することができる。
【発明を実施するための最良の形態】
【００３６】
図１は、本発明の実施の一形態の伸縮継手装置４０を示す鉛直断面図である。なお、同図において上下方向を鉛直方向とし、紙面に垂直な方向および左右方向を水平方向とする。
【００３７】
本実施の形態の伸縮継手装置４０は、空隙４１をあけて隣接する２つの建物の各躯体４２ａ，４２ｂの相互に対向する各対向部４３ａ，４３ｂにそれぞれ固定される縁材４４ａ，４４ｂと、各対向部４３ａ，４３ｂ間にわたって各縁材４４ａ，４４ｂおよび空隙４１を上方から覆うようにして設けられるカバー体４５と、一方の縁材４４ａに支持される支持部４６を有し、水平面においてカバー体４５の幅方向に垂直な長手方向に間隔をあけて配置され、カバー体４５の空隙４１に臨む裏面４７に固定されるブラケット４８と、一端部４９が前記ブラケット４８に回動自在に係止されるとともに、他端部５０が他方の縁材４４ｂに回動自在に係止され、前記一端部４９および他端部５０に連なる巻回部５１がカバー体４５と他方の縁材４４ｂとの間に変位自在に装着されるばね部材である捩りばね５２とを含む。
【００３８】
このような伸縮継手装置４０は、一方の躯体４２ａの対向部４３ａにおける水平な上面７１と、他方の躯体４２ｂの対向部４３ｂにおける鉛直な対向壁面７０ｂとにわたって設置される。各対向部４３ａ，４３ｂの図１の左右方向である第１の水平方向に対向する各対向壁面７０ａ，７０ｂは平行であって、図１の紙面に垂直な第２の水平方向に延在し、各対向壁面７０ａ，７０ｂ間には各躯体４２ａ，４２ｂ間の目地として、前記空隙４１が存在する。また、急激な地震が発生すると、各建物の揺れによって各躯体４２ａ，４２ｂは相対変位を生じ、空隙４１の周囲では各対向部４３ａ，４３ｂが前記第１の水平方向、前記第２の水平方向、および上下方向に相対変位を生じる。このような各対向部４３，４３ｂ間の相対変位のうち、特にカバー体４５およびブラケット４８は上下方向に大きく変位するため、主として上下方向の変位を許容し、空隙４１内へ水の浸入を阻止することができる構成について、以下に説明する。
【００３９】
各縁材４４ａ，４４ｂ間には、可撓性を有する帯状の止水シート５３が空隙４１内で下方に凸に湾曲した弛緩状態で設けられる。この止水シート５３は、たとえば合成ゴム製シートによって実現される。一方の縁材４４ａと一方の対向部４３ａとの間および他方の縁材４４ｂと他方の対向部４３ｂとの間には、シール材５４ａ，５４ｂが設けられる。各シール材５４ａ，５４ｂは、たとえばシリコーン系ゴムからなる湿式シーリング材によって実現される。
【００４０】
前記カバー体４５は、たとえばアルミニウム合金からなる押し出し形材によって実現され、その幅方向一端部５５には、ブラケット４８の一方の対向部４３ａ側に配置される先端部５６が係止される。
【００４１】
図２は、捩りばね５２および他方の縁材４４ｂの一部を示す分解斜視図である。前記捩りばね５２は、前述のように、一端部４９、他端部５０および巻回部５１を有する。具体的には、前記一端部４９は、前記巻胴部５１の軸線ｍ１方向両端部から接線方向に延び、相互に近接する方向に屈曲したＬ字状の一対の屈曲部分５９，６０からなる。また前記他端部５０は、前記巻胴部５１の軸線ｍ１方向両端部間の中間部から接線方向に突出する１つのＵ字状の屈曲部分６１からなる。さらに前記巻回部５１は、互いに巻回方向が逆方向の一対のコイル状部分６２，６３からなる。
【００４２】
各コイル状部分６２，６３は、共通な一直線状の軸線ｍ１を成して同軸に配置され、各コイル状部分６２，６３の相互に隣接する各一端部は、屈曲部分６１によって連結される。各コイル状部分６２，６３の各他端部には、前記屈曲部分５９，６０がそれぞれ連なり、共通な一直線上に軸線ｍ２を有するように同軸にかつ相互に間隔あけて離間した係合部分６４，６５を有する。これらの係合部分６４，６５は、前記他方の縁材４４ｂに係合して、前記軸線ｍ２まわりに回動自在に係止される。
【００４３】
前記屈曲部分６１は、一直線上に軸線ｍ３を有する係合部分６６を有し、この係合部分６６はブラケット４８に回動自在に係合して、係止される。これらの係合部分６４〜６６の軸線ｍ２、ｍ３は、各コイル状部分６２，６３の軸線ｍ１に平行であり、捩りばね５２に外力が作用しない自然状態では、各コイル状部分６２，６３の軸線ｍ１を含む仮想一平面に関して一方側（上側）に軸線ｍ２が配置され、他方側（下側）に軸線ｍ３が配置される。
【００４４】
前記他方の縁材４４ｂの係合する各係合部分６４，６５およびブラケット４８に係合する係合部分６６は、他方の縁材４４ｂおよびブラケット４８に対して前述のようにそれぞれ回動可能であるために、各軸線ｍ１、ｍ２を中心軸線とする直円柱状に形成され、具体的には、直円柱状のばね鋼線を曲げ加工して実現される。
【００４５】
このような捩りばね５２は、前述の図１に示されるように、ブラケット４８および他方の縁材４４ｂに装着された状態では、各屈曲部分６４，６５は前記仮想一平面に関して一方側（下側）から他方側（上側）へ前記他方の縁材４４ｂにばね力を作用させ、屈曲部分６６は前記仮想一平面に関して他方側（上側）から一方側（下側）へ前記ブラケット４８にばね力を作用させて、ブラケット４８をカバー体４５とともに、図１において反時計まわりの矢符Ａ方向にばね付勢する。
【００４６】
再び図１を参照して、前記一方の対向部４３ａは、鉛直な対向壁面７０ａと、水平な上面７１とを有する一方の躯体４２ａの隅角部であり、また他方の対向部４３ｂは、鉛直な対向壁面７０ｂが上下方向に延びる他方の躯体４２ｂの側面部の前記上面７１と同一高さ位置付近である。各対向壁面７０ａ，７０ｂは、相互に平行でかつ図１の左右方向である第１の水平方向に対向し、他方の対向部４３ｂの対向壁面７０ｂは一方の対向部４３ａの上面７１の高さ位置を越えて上方に延びる。
【００４７】
一方の縁材４４ａは、上面７１に支持される平坦状の基部７５と、基部７５の他方の対向部４３ｂ寄りの幅方向他端部に一体的に形成され、他方の対向部４３ｂに臨んで開口する嵌合凹部７６と、基部７５の幅方向一端部に連なり幅方向他端部から離反するにつれて上方に屈曲するシール受け部７７とを有する。
【００４８】
このような一方の縁材４４ａは、図１の紙面に垂直な第２の水平方向に延びる長尺のアルミニウム形材によって実現され、基部７５を貫通するアンカー体７８ａによって、一方の対向部４３ａに上面７１上で固定される。また前記シール受け部７７と上面７１との間には、シール材５４ａが全長にわたって充填される。さらに前記嵌合凹部７６には、止水シート５３の幅方向一端部が嵌着されて保持される。この止水シート５３は、可撓性を有するたとえば合成ゴムからなる。
【００４９】
図２をも参照して、他方の縁材４４ｂは、平坦状の底部８０と、底部８０の幅方向他端部から上方に直角に屈曲して連なる基部８１と、底部８０の幅方向一端部から上方に直角に屈曲して連なる前壁部８２と、底部８０の幅方向一端部寄り下面から下方に突出し、一方の対向部４３ａに臨んで開口する嵌合凹部８３とを有する。
【００５０】
前壁部８２に上端部には逆Ｕ字状のばね受け部８４が形成され、このばね受け部８４には長手方向に間隔をあけて切欠き８５が形成される。ばね受け凹部８４には、捩りばね５２の一端部４９、具体的には各係合部分６４，６５が嵌り込んで回動可能に係合し、前壁部８２に螺着されるビス８６によって、各係合部分６４，６５がばね受け凹所８４から離脱してしまうことが防がれた状態で保持される。前記基部８１の上端部には、上方になるにつれて一方の対向部４３ａ寄り（図１では左側）に傾斜するシール受け部８７が一体的に形成される。
【００５１】
このような他方の縁材４４ｂは、図１の紙面に垂直な第２の水平方向に延びる長尺の鋼材によって実現され、基部８１を貫通するアンカー体７８ｂによって、他方の対向部４３ｂの対向壁面７０ｂに、前記一方の縁材４４ａとほぼ同じ高さに固定され、シール受け部８７と対向壁部７０ｂとの間にシール材５４ｂが充填される。また、嵌合凹所８３には、前記止水シート５３の幅方向他端部が嵌着されて保持される。この止水シート５３は、幅方向両端部が各嵌合凹部７６，８３に嵌着された状態では上方に開放したＵ字状に垂下し、各対向部４３ａ，４３ｂの近接および離反する方向（すなわち、第１の水平方向）の相対変位を許容することができるとともに、図１の紙面に垂直な長手方向（すなわち、第２の水平方向）に向かうにつれて下方に傾斜する排水勾配を有し、止水シート５３内の水を下流側に導いて所定箇所に集水して排水することができるように設置されている。
【００５２】
前記ブラケット４８は、カバー体４５の裏面４７に接触する平坦状の基部９０と、基部９０の幅方向一端部に連なる略Ｖ字状の前述の支持部４６と、支持部４６の幅方向一端部に連なり、基部９０と平行に延びる先端部５６と、基部９０の幅方向他端部近傍で下方に突出するばね受け突部９２とを有する。ばね受け突部９２は、図１の仮想線で示されるように基部９０側へかしめられて屈曲し、捩りばね５２の他端部５０を回動自在に係止する。このようなブラケット４８は、短尺のアルミニウム形材からなり、図１の紙面に垂直な第２の水平方向に間隔をあけて複数、設けられる。
【００５３】
また、前記カバー体４５は、平坦状の本体部分９３と、本体部分９３の幅方向一端部から下方へ直角に屈曲して連なる屈曲部９４と、屈曲部９４の下端部に連なる嵌合凹部９５と、本体部分９３の幅方向他端部に連なるもう一方の嵌合凹部９６とを有する。
【００５４】
各嵌合凹部９５，９６には、パッキン９７，９８が嵌着され、一方のパッキン９７は一方の対向部４３ａの上面に一方の縁材４４ａのシール材５４ａよりも外側で弾発的に当接し、他方のパッキン９８は他方の対向部４３ｂの対向壁面７０ｂに他方の縁材４４ｂのシール材５４ｂよりも外側で弾発的に当接し、これによってカバー体４５を介して外部から空隙４１側への水の浸入を防止している。
【００５５】
このようなカバー体４５および各パッキン９７，９８は、図１の紙面に垂直な水平方向を長手方向として延在し、外部から螺着された複数のビス９９によってブラケット４８の幅方向のほぼ中央に固定されている。
【００５６】
図３は、伸縮継手装置４０の取付け手順を説明するための分解断面図である。前記伸縮継手装置４０を各対向部４３ａ，４３ｂに取り付けるにあたっては、まず、各縁材４４ａ，４４ｂを各対向部４３ａ，４３ｂにアンカー体７８ａ，７８ｂによって水平に固定する。各対向部４３ａ，４３ｂに固定された各縁材４４ａ，４４ｂの各嵌合凹部９５，９６に止水シート５３の幅方向両端部を嵌着し、各シール受け部７７，８７と各対向部４３ａ，４３ｂとの間にはシール材５４ａ，５４ｂを打設する。
【００５７】
カバー体４５は、現場または工場のいずれかにおいて、ブラケット４８にビス９９によって固定し、各嵌合凹部９５，９６にはパッキン９７，９８をそれぞれ装着し、ばね受け突部９２に捩りばね５２の一端部４９を前述のように回動自在に係止して、予め組み立てておき、これを設置位置へ搬入し、捩りばね５２の他端部５０を他方の縁材４４ｂのばね受け部８４に装着し、ビス８６を螺着して係止する。このようにして伸縮継手装置４０が各対向部４３ａ，４３ｂに取り付けられる。
【００５８】
図４〜図６は、伸縮継手装置４０の動作を説明するための鉛直断面図であり、図４（１）は伸縮継手装置４０を各対向部４３ａ，４３ｂに設置した当初の状態を示し、図４（２）は他方の対向部４３ｂが一方の対向部４３ａに対して下方へ変位しかつ相互に近接する方向に変位したときの伸縮継手装置４０の状態を示し、図４（３）は図４（２）の状態から一方の対向部４３ａが他方の対向部４３ｂから離反する方向に変位して初期の水平方向の間隔Ｌに復帰したときの伸縮継手装置４０の状態を示す。
【００５９】
図５（１）は図４（３）に状態から一方の対向部４３ａが他方の対向部４３ｂに対して初期の間隔Ｌを超えて離反したときの伸縮継手装置４０の状態を示し、図５（２）は各対向部４３ａ，４３ｂが上下方向に関して初期位置に復帰しかつ離反する方向に変位したときの伸縮継手装置４０の状態を示し、図５（３）は他方の対向部４３ｂが一方の対向部４３ａに対して上方に変位したときの伸縮継手装置４０の状態を示す。
【００６０】
図６（１）は他方の対向部４３ｂが一方の対向部４３ａに対して上方へ変位したときの伸縮継手装置４０の状態を示し、図６（２）は図６（１）の状態から他方の対向部４３ｂが一方の対向部４３ａに近接する方向に変位したときの伸縮継手装置４０の状態を示す。
【００６１】
前述の伸縮継手装置４０が各対向部４３ａ，４３ｂに設置した設置当初の状態では、図４（１）に示されるように、各対向部４３ａ，４３ｂの各対向壁面７０ａ，７０ｂは、前記第１の水平方向（図４（１）では左右方向）に間隔Ｌをあけて離間し、各縁材４４ａ，４４ｂはほぼ同一高さに配置されている。ブラケット４８の支持部４６は、一方の縁材４４ａ上に支持され、幅方向他端部５７は、ばね受け突部９２に一端部４９が係止された捩りばね５２によって、矢符Ａ方向にばね付勢されている。
【００６２】
このようなブラケット４８に装着されたカバー体４５は、水平に配置され、一方のパッキン９７が一方の対向部４３ａの上面７１に全長にわたって弾発的に当接し、他方のパッキン９８は他方の対向部４３ｂの鉛直な対向壁面７０ｂに全長にわたって弾発的に当接し、各パッキン９７，９８によって水密に空隙４１が塞がれ、空隙４１内への水の浸入が防がれる。
【００６３】
図４（１）に示される状態から各対向部４３ａ，４３ｂが相互に第１の水平方向に近接し、一方の対向部４３ａが上方、他方の対向部４３ｂが下方に位置する上下方向の相対変位が生じると、図４（２）に示されるように、ブラケット４８が一方の縁材４４ａの嵌合凹部７６によって支持された状態で、カバー体４５は幅方向一端部が上方にかつ幅方向他端部が下方に傾斜し、一方のパッキン９７は、一方の縁材４４ａおよび上面７１から上方へ離反し、他方のパッキン９８は、他方の縁材４４ｂの直上で対向壁面７０ｂに弾発的に当接している。
【００６４】
このような状態であっても、空隙４１は止水シート５３と他方のパッキン９８とによって水密に塞がれ、空隙４１内への水の浸入が防がれる。また、一方の縁材４４ａと上面７１との間にはシール材５４ａが打設されるので、一方の縁材４４ａと上面７１との間のわずか隙間を介して空隙４１内へ水が浸入してしまうことはない。
【００６５】
さらに、図４（３）に示されるように、カバー体４５およびブラケット４８が図４（２）の状態から高さを変えずに第１の水平方向に離反すると、カバー体４５は間隔Ｌが増加するにつれて幅方向一端部を下方へ、また幅方向他端部を上方へ変位する方向に傾斜状態を変化させ、ブラケット４８の支持部４６が一方の縁材４４ａによって支持されながら空隙４１側に移動する。この状態においても、前記一方のパッキン９７は上面７１または一方の縁材４４ａから離反し、他方の縁材４４ｂは他方の対向壁面７０ｂに当接している。
【００６６】
各対向部４３ａ，４３ｂが第１の水平方向の間隔Ｌを増大し、他方の対向部４３ｂが一方の対向部４３ａに対して上昇すると、図５（１）に示されるように、ブラケット４８の支持部４６が嵌合凹部７６上を通過し、さらに間隔Ｌが増大して他方の対向部４３ｂが一方の対向部４３ａに対して上昇し、各縁材４４ａ，４４ｂがほぼ同一高さに達すると、図５（２）に示されるように、一方のパッキン９７は前記嵌合凹部７６上に乗り上げた状態となり、水密性が維持される。
【００６７】
各対向部４３ａ，４３ｂが相互に近接しかつ他方の対向部４３ｂが一方の対向部４３ａよりも上方に変位すると、図５（３）に示されるように、カバー体４５はブラケット４８とともに、幅方向一端部が下方に、幅方向他端部が上方に傾斜する。この状態では、一方のパッキン９７は一方の縁材４４ａの前記嵌合凹部７６の背後（図５（３）においては左側）に弾発的に当接し、他方のパッキン９８は対向壁面７０ｂか離反している。このように一方のパッキン９８が対向壁面７０ｂから離反した状態であっても、他方の縁材４４ｂと対向壁面７０ｂとの間にはシール材５４ｂが設けられるので、空隙４１内へ水が浸入することが防がれる。
【００６８】
図５（３）に示される状態からさらに、他方の対向部４３ｂが一方の対向部４３ａに対して第１の水平方向に近接しかつ上昇すると、図６（１）に示されるように、一方のパッキン９７が上面７１に当接し、他方のパッキン９８は対向壁面７０ｂから離反するが、水密な状態が維持され、図６（２）に示されるように、各対向部４３ａ，４３ｂが近接する方向に相対変位しても、他方のパッキン９８は対向壁面７０ｂから離反したままであるが、一方のパッキン９７は上面７１上を摺動し、各対向部４３ａ，４３ｂ間に大きく開放せずに、水密状態を維持し、各対向部４３ａ，４３ｂ間の第１の水平方向に関して近接／離反する方向の相対変位および上下方向の相対変位を許容することができる。
【００６９】
このように本実施の形態によれば、一方の対向部４３ａが他方の対向部４３ｂに対して急激な地震などによって上方に相対変位を生じると、カバー体４５はブラケット４８とともに、幅方向一端部が幅方向他端部に対して上方、すなわち時計まわりに角変位する。このとき、捩りばね５２の巻回部５１はブラケット４８および他方の縁材４４ｂのいずれにも拘束されていないので、その巻回部５１はブラケット４８と他方の縁材４４ｂとの間でカバー体４５およびブラケット４８の前記角変位に応じて移動することができ、この巻回部４８の移動量だけカバー体４５およびブラケット４８の他方の縁材４４ｂに対する上方への変位量が増大し、各縁材４４ａ，４４ｂ間の上下方向の相対変位に対するカバー体４５およびブラケット４８の角変位量を、前記巻回部５１が他方の縁材４４ｂに拘束された場合に比べて少なくすることができる。
【００７０】
これによって、ブラケット４８に捩りばね５２から作用するばね力を緩和することができ、カバー体４５が他方の対向部４３ｂから受ける反力を減少させることが可能となり、カバー体４５の変形または破損が防がれる。また、捩りばね５２は、その一端部４９がブラケット４８に係止され、他端部５０が他方の縁材４４ｂに係止され、巻回部５１はブラケットおよび他方の縁材のいずれにも係止されないので、捩りばね５２の一端部だけがブラケット４８に係止された状態で、捩りばね５２の他端部は巻回部とともに自由に回動させることができ、容易に捩りばね５２の他端部を他方の縁材に掛け止めて係止することができる。これによって捩りばね５２の他方の縁材に対する取付け作業が格段に容易となり、伸縮継手装置の現場での施工性が向上される。
【００７１】
また、各縁材間には、可撓性を有する止水シート５３が設けられ、さらに各縁材と各対向部との間にはシール材５４ａ，５４ｂが設けられるので、各対向部が地震などによって上下方向に相対変位を生じ、カバー体４５の幅方向一端部が一方に対向部４３ａから離反し、あるいは幅方向他端部が他方の対向部から離反しても、その変位は止水シート５３が可撓性を有することによって許容することができ、この止水シート５３によって、各対向部間の空隙への雨水および散水などによる水の浸入が防がれるとともに、各縁材と各対向部との間の前記シール材５４ａ，５４ｂによる止水効果によって、各対向部と各縁材との間の僅かな隙間から空隙内への水の浸入をも防がれ、高い水密性を実現して、止水性が向上される。
【００７２】
さらに、カバー体４５の幅方向一端部は、ブラケット４８によって係止されるので、他方の対向部が一方の対向部４３ａに対して上方に変位し、カバー体４５がブラケット４８とともに反時計まわりに角変位して、カバー体４５の幅方向一端部に一方の対向部４３ａから大きな反力が作用しても、その反力はブラケット４８によって受けられ、カバー体４５に大きな曲げ荷重が直接作用することがなく、カバー体４５が前記一方の対向部からの反力によって容易に変形または破損することが防がれる。
【００７３】
図７は、本発明の実施の他の形態の伸縮継手装置４０ａを示す鉛直断面図である。なお、本実施の形態の伸縮継手装置４０ａは、前述の実施の形態に類似し、対応する部分には同一の参照符を付す。本実施の形態の伸縮継手装置４０ａは、他方の対向部４３ｂは一方の対向部４３ａの上面７１とほぼ平行な上面１１０を有し、カバー体４５は各上面７１，１１０間にわたる幅を有し、断面が逆凹状のアルミニウム形材からなる。このカバー体４５の幅方向一端部には、前述の実施の形態と同様な一方のパッキン９７が装着され、幅方向他端部にも同様な他方のパッキン９８が装着される。
【００７４】
他方の縁材４４ｂは、上面１１０上に載置され、アンカー体７８ｂによって他方の対向部４３ｂに固定される基部１１１と、基部１１１の前記一方の対向部４３ａ寄りの一端部に上方に突出して直角に連なり、断面が逆Ｊ字状のばね受け凹部１１２と、前記一端部から下方に直角に連なって空隙４１内へ突出し、最も一方の対向部４３ａ寄りの端部に止水シート５３の幅方向他端部が嵌着される嵌合凹部８３が一体に形成される断面が略Ｌ字状の止水シート取付け部１１３とを有する。
【００７５】
前記ばね受け凹部１１２には、捩りばね５２の他端部５０が下方から嵌り込んで保持され、ブラケット４８に対して矢符Ａ方向（反時計まわり）にばね力を付与することができる。
【００７６】
前記他方の縁材４４ｂにおいて、前記基部１１１の一方の対向部４３ａから最も離れた端部には、一方の縁材４４ａのシール受け部７７と同様なシール受け部１１４が一体に形成され、このシール受け部１１４と上面１１０との間にはシール材５４ｂが打設され、他方のパッキン９８が上面から離れた状態であっても、空隙４１に対する水密性を維持することができるように構成されている。
【００７７】
本実施の形態の伸縮継手装置４０ａにおいても、前述の実施の形態の伸縮継手装置４０と同様な効果を達成して、各対向部４３ａ，４３ｂの第１の水平方向に関する近接／離反する方向の相対変位および上下方向の相対変位を許容し、空隙４１内への水の浸入を防ぐことができる。
【００７８】
図８は、本発明の実施のさらに他の形態の伸縮継手装置４０ｂを示す鉛直断面図である。なお、本実施の形態の伸縮継手装置４０ｂは、前述の図１〜図７に示される実施の各形態と類似し、対応する部分には同一の参照符を付す。本実施の形態の伸縮継手装置４０ｂは、注目すべきは、前記一方の縁材４４ａおよび他方の縁材４４ｂのうち少なくとも一方である他方の縁材４４ｂは、他方の対向部４３ｂの鉛直な対向壁面７０ｂに固定される第１縁材４４ｂ１と、他方の対向部７０ｂの水平な上面１１０に設置され、前記第１縁材４４ｂ１に複数のビス１２０連結される第２縁材４４ｂ２とによって構成され、第１縁材４４ｂ１は、前記ばね部材５２の他端部５０が回動自在に係止されるばね受け部８４を有する。
【００７９】
第２縁材４４ｂ２は、上面１１０に設置され、他方の対向部４３ｂにアンカー体７８ｂによって固定される基部１２１と、基部１２１の一方の対向部４３ａ寄りの端部から上方に直角に立ち上がる立ち上り部１２２と、基部１２１の幅方向のほぼ中央から上方へ立ち上がる逆Ｌ字状の支持片１２３とが形成される。基部１２１の前記一方の対向部４３ａから最も離れた端部には、図７に示される実施の形態のシール受け部１１４と同様なシール受け部１２４が一体に形成され、このシール受け部１２４と上面１１０との間にはシール材１２５が打設される。このシール材１２５もまた、前記シール材５４ｂと同様なシーリング材が用いられる。
【００８０】
前記支持片１２４には、断面が略Ｌ字状の化粧カバー体１２６が装着され、ビス１２７によって固定される。化粧カバー体１２６は、水平に配置される上面板１２８と、上面板１２８の一方の対向部４３ａから最も離れた端部から下方に直角に屈曲して連なる側面板１２９とを有する。側面板１２９には嵌合凹部１３１が一体に形成され、この嵌合凹部１３１には、前記シール材１２５よりも外側方でパッキン１３０が装着され、上面１１０に弾発的に当接し、水密性を達成している。
【００８１】
このような本実施の形態の伸縮継手装置４０ｂによれば、他方の縁材４４ｂを、他方の対向部４３ｂの鉛直な対向壁面７０ｂに固定される第１縁材４４ｂ１と、他方の対向部４３ｂの水平な上面１１０に設置され、前記第１縁材４４ｂ１に連結される第２縁材４４ｂ２とによって構成し、第１縁材４４ｂ１に前記捩りばね５２の他端部５０が回動自在に係止される。このように他方の縁材４４ｂが構成されることによって、他方の対向部４３ｂが前記他方の縁材４４ｂの取付け位置よりも上方に立ち上がる取付け区間では、前記第２縁材４４ｂ２を用いずに、第１縁材４４ｂ１だけを対向壁面７０ｂに固定して、図１〜図６に示される実施の形態の伸縮継手装置４０と同様な構成の伸縮継手装置を実現することができる。
【００８２】
これによって、前述の実施の各形態の効果を達成するとともに、他方の対向部４３ｂの鉛直な対向壁面７０ｂが他方の縁材４４ｂの取付け位置を越えて上方に立ち上がる場合（図１〜図６）、および前記取付け位置から水平に上面が形成される場合（図７および図８）のいずれであっても、前記第１縁材４４ｂ１だけを用いて、あるいは第１および第２縁材４４ｂ１，４４ｂ２の双方を用いて他方の縁材４４ｂを実現することができ、他方の対向部４３ｂの形態にかかわらず、他方の縁材４４ｂの汎用性を向上し、伸縮継手装置４０ｂの設置上の自由度を向上することができる。
【図面の簡単な説明】
【００８３】
【図１】本発明の実施の一形態の伸縮継手装置４０を示す鉛直断面図である。
【図２】捩りばね５２および他方の縁材４４ｂの一部を示す分解斜視図である。
【図３】伸縮継手装置４０の取付け手順を説明するための分解断面図である。
【図４】伸縮継手装置４０の動作を説明するための鉛直断面図であり、図４（１）は伸縮継手装置４０を各対向部４３ａ，４３ｂに設置した当初の状態を示し、図４（２）は他方の対向部４３ｂが一方の対向部４３ａに対して下方へ変位しかつ相互に近接する方向に変位したときの伸縮継手装置４０の状態を示し、図４（３）は図４（２）の状態から一方の対向部４３ａが他方の対向部４３ｂから離反する方向に変位して初期の水平方向の間隔Ｌに復帰したときの伸縮継手装置４０の状態を示す。
【図５】伸縮継手装置４０の動作を説明するための鉛直断面図であり、図５（１）は図４（３）に状態から一方の対向部４３ａが他方の対向部４３ｂに対して初期の間隔Ｌを超えて離反したときの伸縮継手装置４０の状態を示し、図５（２）は各対向部４３ａ，４３ｂが上下方向に関して初期位置に復帰しかつ離反する方向に変位したときの伸縮継手装置４０の状態を示し、図５（３）は他方の対向部４３ｂが一方の対向部４３ａに対して上方に変位したときの伸縮継手装置４０の状態を示す。
【図６】伸縮継手装置４０の動作を説明するための鉛直断面図であり、図６（１）は他方の対向部４３ｂが一方の対向部４３ａに対して上方へ変位したときの伸縮継手装置４０の状態を示し、図６（２）は図６（１）の状態から他方の対向部４３ｂが一方の対向部４３ａに近接する方向に変位したときの伸縮継手装置４０の状態を示す。
【図７】本発明の実施の他の形態の伸縮継手装置４０ａを示す鉛直断面図である。
【図８】本発明の実施のさらに他の形態の伸縮継手装置４０ｂを示す鉛直断面図である。
【図９】従来の技術の伸縮継手装置１を示す鉛直断面図である。
【図１０】伸縮継手装置１の動作を示す鉛直断面図であり、図１０（１）は各対向部４ａ，４ｂが相互に近接する方向に相対変位した状態を示し、図１０（２）は一方の対向部４ａが他方の対向部４ｂに対して下方に相対変位したときの状態を示し、図１０（３）は一方の対向部４ａが他方の対向部４ｂに対して上方に相対変位した状態を示す。
【符号の説明】
【００８４】
４０，４０ａ，４０ｂ  伸縮継手装置
４１  空隙
４２ａ，４２ｂ  躯体
４３ａ，４３ｂ  対向部
４４ａ，４４ｂ；４４ｂ１，４４ｂ２  縁材
４５  カバー体
４６  支持部
４７  裏面
４８  ブラケット
４９  一端部
５０  他端部
５２  捩りばね
５３  止水シート
５４ａ，５４ｂ；１２５  シール材
５５  カバー体４５の幅方向一端部
５６  ブラケット４８の先端部
７０ａ，７０ｂ  対向壁面
７１，１１０  上面
７７，８７，１１４，１２４  シール受け部
９７，９８，１３０  パッキン
【図１】
2006097422.tif 000003
【図２】
2006097422.tif 000004
【図３】
2006097422.tif 000005
【図４】
2006097422.tif 000006
【図５】
2006097422.tif 000007
【図６】
2006097422.tif 000008
【図７】
2006097422.tif 000009
【図８】
2006097422.tif 000010
【図９】
2006097422.tif 000011
【図１０】
2006097422.tif 000012